(57)【特許請求の範囲】
【請求項１】
網戸枠の上下の横枠に沿ってスプリングを巻取用の駆動源とするネットを左右両開き式に開閉自在とし、該ネットの開閉操作用の可動框の上下の摺動部材を網戸枠の上下の横枠にガイドさせながら上記ネットを開閉するようにした巻取式網戸において、
上記網戸枠における上部の横枠の中央に、それぞれの可動框の移動範囲を上記横枠の中央部を若干越えた位置まで許容する左右に可動のストッパを設けた、
ことを特徴とする巻取式網戸。
【請求項２】
請求項１に記載の巻取式網戸において、
上記ストッパを、可動框の上部の摺動部材が摺動する横枠に設けたストッパ本体の両側面に上記ネットの開閉方向に沿う長穴を穿設すると共に、該長穴に上記可動框の上部の摺動部材が当接する可動部材を該長穴に沿って移動自在に遊嵌することにより形成した、
ことを特徴とする巻取式網戸。
【請求項３】
可動框の上下端にスプリングをネットの巻取用の駆動源とする巻取軸の上下端を保持させ、上記ネットの基端をそれぞれ網戸枠の左右の縦枠に取り付けた、
ことを特徴とする請求項１または２に記載の巻取式網戸。
【発明の詳細な説明】
【０００１】
【発明の属する技術分野】
本発明は、網戸枠の上下の横枠に沿って左右両開き式に開閉する巻取式網戸に関し、さらに具体的には、開閉操作用の可動框に、スプリングをネットの巻取用の駆動源とする巻取軸の上下端を保持させ、上記ネットの基端をそれぞれ網戸枠の左右の縦枠に取り付けて、可動框の上下の摺動部材を網戸枠の上下の横枠にガイドさせながら上記ネットを開閉するようにした左右両開き式の巻取式網戸に関するものである。
【０００２】
【従来の技術】
引き違い式に開閉する引き戸に左右の開口部をそれぞれ遮蔽する巻取式網戸を設置する場合、図５のＡ，Ｂに示すように、引き戸における建物外側の開口枠の左右の縦枠に、引き戸の開閉操作に連動する巻取式網戸をそれぞれ設置することが考えられる。そして、これらの巻取式網戸におけるネット長は、多少の余裕は持たせてあるものの、それぞれの引き戸開口部の幅に対応した長さに設定するのが一般的である。
【０００３】
ところが、上記巻取式網戸においては、引き戸の外側における当該網戸の設置スペースを可及的にコンパクトにするために、左右の網戸の横枠が共用化されるので、誤って上記網戸のネット長を超える位置まで該網戸を操作してしまう場合が考えられ、ネットあるいは該ネットと巻取軸との連結部等が破損してしまう可能性がある。
【０００４】
このような問題点に対処する手段として、網戸枠における横枠の中央に、それぞれの網戸における開閉操作用の可動框の移動範囲を制限するストッパを固定的に設けることも考えられるが、それらの網戸のネットの完全な張設状態における可動框の位置が、必ずしも上記横枠の中央に一致せず、いずれも中央を若干超えた位置になってしまうため（図５参照）、上記横枠の中央に固定的にストッパを設けてしまうと、いずれの網戸も完全な張設状態にすることができなくなってしまうという問題点が生じてくる。
【０００５】
【発明が解決しようとする課題】
如上に鑑みて、本発明の技術的課題は、左右両開き式の巻取式網戸において、開閉操作用の可動框の適正な移動範囲を設定することができる巻取式網戸を提供することにある。
【０００６】
【課題を解決するための手段】
上記課題を解決するため、本発明は、網戸枠の上下の横枠に沿ってスプリングを巻取用の駆動源とするネットを左右両開き式に開閉自在とし、該ネットの開閉操作用の可動框の上下の摺動部材を網戸枠の上下の横枠にガイドさせながら上記ネットを開閉するようにした巻取式網戸において、上記網戸枠における上部の横枠の中央に、それぞれの可動框の移動範囲を上記横枠の中央部を若干越えた位置まで許容する左右に可動のストッパを設けたことを特徴とするものである。
【０００７】
上記巻取式網戸のより具体的な構成においては、上記ストッパを、可動框の上部の摺動部材が摺動する横枠に設けたストッパ本体の両側面に上記ネットの開閉方向に沿う長穴を穿設すると共に、該長穴に上記可動框の上部の摺動部材が当接する可動部材を該長穴に沿って移動自在に遊嵌することにより形成することができ、また、上記可動框の上下端にスプリングをネットの巻取用の駆動源とする巻取軸の上下端を保持させ、上記ネットの基端をそれぞれ網戸枠の左右の縦枠に取り付けた構成とすることができる。
【０００８】
上記巻取式網戸は、可動框を操作してネットを張設する際に、可動なストッパの存在により、ネットの過度の引出しによりネットあるいは該ネットと巻取軸との連結部等が破損するのを防止できるばかりでなく、可動框を、網戸枠の横枠の中央を若干超えた所望の位置（少なくとも全開または全開状態にある引き戸の縦枠と重なる位置）まで操作できるので、余裕をもってネットを完全な張設状態にまで引き出すことが可能となる。
【０００９】
【発明の実施の形態】
以下、本発明の実施の形態を図面に基づいて詳細に説明するに、図１乃至図３は、本発明の巻取式網戸の一実施例を示しており、図中、２は略矩形状をなす網戸枠、４Ａ，４Ｂは該網戸枠２内に左右両開き式に開閉自在に取り付けられた防虫網からなるネット、６Ａ，６Ｂはそれぞれネット４Ａ，４Ｂの端部に取り付けられた開閉操作用の可動框である。
なお、上記左右のネット４Ａ，４Ｂに関連する構造は実質的に同一であるから、以下の説明においては、特に必要がなければネット４Ａに関する構造についてのみ説明し、ネット４Ｂについての説明は補助符号を読み替えるものとして、それらの説明を省略する。
【００１０】
上記ネット４Ａ，４Ｂは、図１及び図２に示すように、それらの一端をそれぞれ上記網戸枠２における左右の縦枠８，１０に取り付るとともに、他端をスプリング１６を巻取用の駆動源とする巻取軸１８Ａ，１８Ｂに固定しており、それらの巻取軸１８Ａ，１８Ｂを、それぞれ可動框６Ａ，６Ｂの框材２２Ａ，２２Ｂ内に回転自在に収容することにより、上記ネット４Ａ，４Ｂを繰り出し及び巻き取り可能に配設している。
【００１１】
上記網戸枠２は、図１及び図２からわかるように、左右の縦枠８，１０及び上下の横枠１２，１４により略矩形状に形成したもので、建物開口部にネジ止めあるいは接着テープ等の適宜手段により固定し得るようになっている。
【００１２】
上記可動框６Ａにおける框材２２Ａは、合成樹脂製又はアルミニウム等の金属製で一部に開口を有する筒状をなし、上記網戸枠２における上下の横枠１２，１４に沿って移動自在の上下の摺動部材２４Ａ，２６Ａを該框材２２Ａの上下端に連結し、該框材２２Ａ内において上記ネット４Ａを巻き付けた巻取軸１８Ａの上下端を上下の摺動部材２４Ａ，２６Ａに回転自在に保持させ、框材２２Ａの上記開口からネット４Ａを導出している。
上記摺動部材２４Ａ，２６Ａは、網戸枠２における上下の横枠１２，１４を摺動して上記可動框６Ａによるネット４Ａの開閉操作を円滑に行うことができるようにするためのもので、さらに具体的には、上記可動框６Ａにおける框材２２Ａの上部に連結した摺動部材２４Ａは、上記框材２２Ａの上端に嵌着する本体３２ａに、上記網戸枠２における上部の横枠１２のガイドレール１２ａ上を転動する一対の転輪３４ａを備えた摺動部３６ａを着脱自在に取り付けることにより構成されており、一方、上記框材２２Ａの下部に連結した摺動部材２６Ａは、上記下部の横枠１４の長手方向両側に立設したガイド壁１４ａにガイドさせるべく、上記框材２２Ａの下端に嵌着している。
【００１３】
上記網戸枠２における上部の横枠１２の中央には、それぞれの可動框６Ａ，６Ｂの移動範囲を上記横枠１２の中央部を若干越えた位置まで許容する左右に可動のストッパ３０を設けている。
さらに具体的には、上記ストッパ３０は、図１、図３及び図４に明確に示すように、可動框６Ａ（６Ｂ）の上部の摺動部材２４Ａ（２４Ｂ）が摺動する横枠１２内に取り付けるストッパ本体３０ａを備え、このストッパ本体３０ａの両側面に、上記ネット４Ａの開閉方向に沿う長穴３０ｂを穿設すると共に、該長穴３０ｂに上記可動框６Ａ（６Ｂ）の上部の摺動部材２４Ａ（２４Ｂ）における転輪３４ａが当接する可動部材（ピン）３０ｃを該長穴３０ｂに沿って移動自在に遊嵌することにより形成されている。そして、上記ストッパ本体３０ａは、上記横枠１２の中央に付設された際に、可動框６Ａ（６Ｂ）の上部の摺動部材２４Ａ（２４Ｂ）が摺動するガイドレールの一部としても機能するように、断面形状が網戸枠２の上部の横枠１２におけるガイドレール部とほぼ同形状に形成されている。
【００１４】
上記巻取式網戸は、図２及び図５のＡ，Ｂに示すように、外側の引き戸（障子）４０の縦枠４０Ａ，４０Ｂに設けたラッチピース４１Ａ，４１Ｂに係脱自在としたラッチ４２Ａ，４２Ｂを可動框６Ａ，６Ｂに備え、ネット４Ｂが張設された図５のＡの状態から引き戸４０を開いてその縦枠４０Ａに係止した可動框６Ａを引き戸の移動に追随させると、図５のＢの状態になる。図５のＡ及びＢの状態において可動框６Ａ及び６Ｂが引き戸の縦枠４０Ａ，４０Ｂと重なる同一の位置にあることから明らかなように、ストッパ３０を固定的に設けることなく、それを可動とすることにより、このような両可動框６Ａ，６Ｂの移動が可能になる。
なお、図１及び図２中に示す２８は、可動框６Ａ，６Ｂの衝突の勢いを緩和するための弾性緩衝材を示している。
【００１５】
上記構成を有する巻取式網戸は、可動框６Ａ（６Ｂ）を操作してネット４Ａまたは４Ｂ（両者を同時に張設することはない。）を張設する際に、いずれかの可動框が、ストッパ３０の位置に達すると、転輪３４ａが可動部材３０ｃに当接してそれを長穴３０ｂの端部まで押圧してそこで可動框が停止する。この停止位置は、図５Ａ，Ｂに示す位置よりも若干の余裕を付加した位置とするのが望ましい。このようなストッパ３０を設けると、ネット４Ａ（４Ｂ）の過度の引出しにより該ネット４Ａ（４Ｂ）あるいは該ネット４Ａ（４Ｂ）と巻取軸１８Ａ（１８Ｂ）との連結部等が破損するのを防止できるばかりでなく、上記可動框６Ａ（６Ｂ）を、網戸枠２の横枠１２，１４の中央を若干超えた所望の位置まで操作できるので、余裕をもってネット４Ａ（４Ｂ）を完全な張設状態にまで引き出すことが可能となる。
【００１６】
なお、上述した実施例においては、本発明を、巻取軸１８Ａ，１８Ｂをそれぞれ可動框６Ａ，６Ｂの框材２２Ａ，２２Ｂ内に回転自在に保持した巻取式網戸に適用した場合について記載したが、それに限定されず、網戸枠における左右の縦枠８，１０にそれぞれ巻取軸を回転自在に保持させた巻取式網戸に適用することもできる。
【００１７】
【発明の効果】
以上に詳述した如く、本発明の巻取式網戸によれば、可動框を操作してネットを張設する際に、ネットの過度の引出しによりネットあるいは該ネットと巻取軸との連結部等を破損するのを防止できるばかりでなく、可動框を、網戸枠の横枠の中央を若干超えた所望の位置（少なくとも全開または全開状態にある引き戸の縦枠と重なる位置）まで操作できるので、余裕をもってネットを完全な張設状態にまで引き出すことが可能となる。
【図面の簡単な説明】
【図１】本発明に係る巻取式網戸の部分破断正面図である。
【図２】同平断面図である。
【図３】同側断面図である。
【図４】ストッパの取付態様を説明する部分破断拡大斜視図である。
【図５】Ａは右側の巻取式網戸のネットが完全な張設状態の場合、Ｂは左側のネットが完全な張設状態の場合を簡略的に説明する平面図である。
【符号の説明】
２    網戸枠
４Ａ，４Ｂ  ネット
６Ａ，６Ｂ  可動框
８，１０    縦枠
１２，１４    横枠
１８Ａ，１８Ｂ  巻取軸
２４Ａ，２４Ｂ，２６Ａ，２６Ｂ  摺動部材
３０    ストッパ
３０ａ  ストッパ本体
３０ｂ  長穴
３０ｃ  可動部材
【図１】
0003559240.tif 000002
【図２】
0003559240.tif 000003
【図３】
0003559240.tif 000004
【図４】
0003559240.tif 000005
【図５】
0003559240.tif 000006